(57)【要約】【課題】使用者の好みに合わせて、また使用者が横臥したままでも容易に、高さだけでなく傾斜具合も調整することができ、使用感や使い勝手に優れた枕を提供すること。【解決手段】充填材２が充填される袋体３の長手方向の向い合う各側縁部に、各側縁部の長さを個別に調整可能な長さ調整部４が設けられ、長さ調整部４が、袋体３の長手方向の側縁部に沿って形成された紐挿通部５と、紐挿通部５に挿通されるとともに、紐挿通部５と略平行に所定の間隔を設けて袋体３内に挿通された紐６と、紐挿通部５及び袋体３内からそれぞれ引き出された紐６が挿通された引締具７Ａ、７Ｂとを含んで構成されている。【選択図】図１
0003162306.tif 000002
【実用新案登録請求の範囲】
【請求項１】
充填物が充填される袋体の長手方向の向い合う各側縁部に、該各側縁部の長さを個別に調整可能な長さ調整部が設けられ、
該長さ調整部が、
前記袋体の長手方向の側縁部に沿って形成された紐挿通部と、
該紐挿通部に挿通されるとともに、該紐挿通部と略平行に所定の間隔を設けて前記袋体内に挿通された紐と、
前記紐挿通部及び前記袋体内からそれぞれ引き出された前記紐が挿通された引締具とを含んで構成されていることを特徴とする枕。
【請求項２】
充填物が充填される袋体の周縁部に、該袋体の長手方向の向い合う各側縁部の長さを個別に調整可能な長さ調整部が設けられ、
該長さ調整部が、
前記袋体の長手方向の向い合う各側縁部に沿って形成された第１及び第２の紐挿通部と、
前記袋体の短手方向の向い合う各側縁部に形成された輪状の紐通し片と、
前記第１の紐挿通部と前記紐通し片とに挿通された第１の紐と、
前記第２の紐挿通部と前記紐通し片とに挿通された第２の紐と、
前記第１の紐挿通部の両端から引き出されて、前記紐通し片に挿通された前記第１の紐の端部と、前記第２の紐挿通部の両端から引き出されて、前記紐通し片に挿通された前記第２の紐の端部とが挿通された引締具とを含んで構成され、
該引締具が、前記第１及び第２の紐を個別に引締め可能なものであることを特徴とする枕。
【請求項３】
前記充填材が複数の小袋に分けて前記袋体に収容され、
前記袋体に、前記小袋を出し入れするための開閉部が形成されていることを特徴とする請求項１又は請求項２記載の枕。
【考案の詳細な説明】
【技術分野】
【０００１】
本考案は枕に関し、より詳細には、使用者の好みに合わせて高さ等を調整することのできる枕に関する。
【背景技術】
【０００２】
従来より、紐を利用して高さを調整できるようにした枕が提案されている。例えば、下記の特許文献１には、充填物が充填された袋体の全周縁部に紐通し部が形成され、該紐通し部に紐が緊縛自在に挿通された枕が開示されている。
また、下記の特許文献２には、充填物が充填された袋体の長手方向の相対する２辺間に、紐がＭ字型、Ｗ字型等に摺動可能に挿通された枕が開示されている。
【０００３】
特許文献１記載の枕によれば、前記紐通し部に挿通された紐を縛ることにより、前記袋体の中間部が細くなって袋体全体の厚み（高さ）を増すことができる。また、特許文献２記載の枕によれば、前記袋体内に挿通された紐を袋体外へ引き出すことにより、長手方向の相対する２辺間の距離が縮まり、袋体全体の厚みを増すことができる。
【０００４】
ところで、枕の使用感を優れたものにするには、枕の高さ（厚み）だけでなく、頭を載せる面の傾斜具合も重要なポイントとなっている。また、使用する状況に応じて、枕の傾斜具合を調整したい、例えば、横になってテレビを視聴するような場合、頭を少し起こした状態となるように傾斜具合を大きくしたい等のニーズも高い。
【０００５】
しかしながら、特許文献１、２に記載された枕は、袋体全体の厚みを増す調整が可能となっているものの、頭を載せる面の傾斜具合まで意識的に調整できるものではなく、また、使用者が横臥したままで高さ等の調整が容易に行えるものでもなく、使用感や使い勝手を十分に高めることができていないという課題があった。
【先行技術文献】
【特許文献】
【０００６】
【特許文献１】実開平３−７９７６４号公報
【特許文献２】実開昭６２−５２４７３号公報
【考案の概要】
【課題を解決するための手段及びその効果】
【０００７】
本考案は上記課題に鑑みなされたものであって、使用者の好みに合わせて、また使用者が横臥したままでも容易に、高さだけでなく傾斜具合も調整することができ、使用感や使い勝手に優れた枕を提供することを目的としている。
【０００８】
上記目的を達成するために本考案に係る枕（１）は、充填物が充填される袋体の長手方向の向い合う各側縁部に、該各側縁部の長さを個別に調整可能な長さ調整部が設けられ、該長さ調整部が、前記袋体の長手方向の側縁部に沿って形成された紐挿通部と、該紐挿通部に挿通されるとともに、該紐挿通部と略平行に所定の間隔を設けて前記袋体内に挿通された紐と、前記紐挿通部及び前記袋体内からそれぞれ引き出された前記紐が挿通された引締具とを含んで構成されていることを特徴としている。
【０００９】
上記枕（１）によれば、前記袋体の長手方向の向い合う各側縁部に設けられた、前記紐挿通部、前記紐、及び前記引締具を含んで構成される前記長さ調整部によって、前記袋体の長手方向の向い合う各側縁部の長さ（すなわち、窄め具合、縮み具合）を個別に調整することが可能となり、枕全体の高さ（厚み）だけでなく、枕の傾斜（傾き）具合も調整することが可能となる。
【００１０】
枕全体の高さ（厚み）を調整する（高くする）際には、前記袋体の長手方向の両側縁部の前記長さ調整部をそれぞれ操作する。すなわち、両側縁部に設けられた前記引締具をそれぞれ手で押さえた状態で前記紐を引っ張る（前記袋体から引き出す）と、前記袋体の長手方向の各側縁部がそれぞれ窄められ（短く縮み）、前記袋体内の充填材が中央付近に寄り集まることで、前記袋体の上部と下部とが膨らむ結果、枕全体の高さ（厚み）を増すことができる。
【００１１】
また、枕の傾斜具合を調整する（傾きを付ける）際には、前記袋体の長手方向の一方の側縁部の前記長さ調整部のみを操作する。すなわち、一方の側縁部の前記引締具を手で押さえた状態で前記紐を引っ張る（前記袋体から引き出す）と、前記袋体の長手方向の一方の側縁部のみが窄められ（短く縮み）、該一方の側縁部側の厚みを増すことができ、該一方の側縁部側から他方の側縁部側に下る傾斜を付けることができ、頭を少し起こした状態に保ちたい場合などに重宝する。
【００１２】
したがって、使用者の好みや用途に合わせて、高さだけでなく傾斜具合も適宜調整することができ、また、前記長さ調整部が前記袋体の長手方向の各側縁部に設けられ、前記引締具が前記袋体の短手方向の側縁部側に位置するので、使用者が横臥したままでも、すなわち、枕に頭を載せたままでも容易に高さや傾き具合の調整を行うことができ、使用感や使い勝手に優れた枕とすることができる。
【００１３】
また本考案に係る枕（２）は、充填物が充填される袋体の周縁部に、該袋体の長手方向の向い合う各側縁部の長さを個別に調整可能な長さ調整部が設けられ、該長さ調整部が、前記袋体の長手方向の向い合う各側縁部に沿って形成された第１及び第２の紐挿通部と、前記袋体の短手方向の向い合う各側縁部に形成された輪状の紐通し片と、前記第１の紐挿通部と前記紐通し片とに挿通された第１の紐と、前記第２の紐挿通部と前記紐通し片とに挿通された第２の紐と、前記第１の紐挿通部の両端から引き出されて、前記紐通し片に挿通された前記第１の紐の端部と、前記第２の紐挿通部の両端から引き出されて、前記紐通し片に挿通された前記第２の紐の端部とが挿通された引締具とを含んで構成され、該引締具が、前記第１及び第２の紐を個別に引締め可能なものであることを特徴としている。
【００１４】
上記枕（２）によれば、前記袋体の周縁部に設けられた、前記第１及び第２の紐挿通部、前記第１及び第２の紐、及び前記袋体の短手方向の各側縁部側に配置されることになる前記引締具を含んで構成される前記長さ調整部によって、前記袋体の長手方向の向い合う各側縁部の長さを個別に調整することが可能となり、枕全体の高さ（厚み）だけでなく、枕の傾斜具合も調整することが可能となる。
【００１５】
枕全体の高さ（厚み）を調整する（高くする）際には、前記袋体の短手方向の側縁部側に配置された前記引締具を手で押さえた状態で前記第１及び第２の紐を引っ張ると、前記袋体の周縁部が窄められ（短く縮み）、前記袋体内の充填材が中央付近に寄り集まり、前記袋体の上部と下部とが膨らむ結果、枕全体の高さ（厚み）を増すことができる。
【００１６】
また、枕の傾斜具合を調整する（傾きを付ける）際には、前記引締具を手で押さえた状態で前記第１又は第２の紐のいずれか一方のみを引っ張ると、前記袋体の長手方向の一方の側縁部のみが窄められ（短く縮み）、該一方の側縁部側の厚みを増すことができ、該一方の側縁部側から他方の側縁部側に下る傾斜を付けることができ、頭を少し起こした状態に保ちたい場合などに重宝する。したがって、上記枕（１）と略同様の効果を得ることができる。なお、前記第１の紐と第２の紐とは、２本の紐で別々に構成する場合もあれば、１本の紐で構成する場合もあり得る。
【００１７】
また本考案に係る枕（３）は、上記枕（１）又は（２）において、前記充填材が複数の小袋に分けて前記袋体に収容され、前記袋体に、前記小袋を出し入れするための開閉部が形成されていることを特徴としている。
上記枕（３）によれば、前記充填材が複数の小袋に分けて前記袋体に収容されているので、前記小袋により前記充填材の移動や変形を規制することが可能となり、枕の形状を保ちやすい構造にすることができる。また、前記袋体に前記開閉部が形成されているので、使用者の好みに応じて、前記小袋をさらに追加したり、減らしたりすることができ、使用者の好みや用途に合わせて、前記充填材の充填量を適宜調整することができる。なお、前記小袋には、充填材の移動を規制する複数の仕切りが設けられたものを使用してもよく、係る構成により、頭を載せた場合の充填物の移動を効果的に抑制することができ、平坦な状態の袋体の厚みを一定に保つことができる。
【図面の簡単な説明】
【００１８】
【図１】本考案の実施の形態（１）に係る枕を示した一部切欠斜視図である。
【図２】（ａ）は実施の形態（１）に係る枕の全体の厚みを増した状態を示した斜視図、（ｂ）は、枕に傾斜を付けた状態を示した斜視図である。
【図３】実施の形態（２）に係る枕を示した一部切欠斜視図である。
【図４】（ａ）は実施の形態（２）に係る枕の全体の厚みを増した状態を示した斜視図、（ｂ）は、枕に傾斜を付けた状態を示した斜視図である。
【図５】別の実施の形態に係る枕を示した斜視図である。
【考案を実施するための形態】
【００１９】
以下、本考案に係る枕の実施の形態を図面に基づいて説明する。図１は、実施の形態（１）に係る枕を示した一部切欠斜視図である。図２（ａ）は、実施の形態（１）に係る枕の全体の厚みを増した状態を示した斜視図であり、（ｂ）は、枕に傾斜を付けた状態を示した斜視図である。
【００２０】
実施の形態（１）に係る枕１は、充填材２が充填される袋体３からなり、平面視略長方形形状をした袋体３の長手方向の向い合う側縁部３ａ、３ｂには、側縁部３ａ、３ｂの長さを個別に調整可能な長さ調整部４がそれぞれ設けられている。
袋体３の素材は、可撓性を有する素材であれば特に限定されないが、綿、麻、立体網目状生地など、肌触りや通気性などに優れた繊維素材を用いることが好ましい。また、充填材（充填物）２は、袋体３内で移動可能な粒状のものが好ましく、そば殻、もみ殻、小豆、合成樹脂ビーズ、発泡樹脂ビーズ、又は合成樹脂短パイプなどが好適である。なお、ビーズ又は短パイプの径は、３ｍｍ〜１５ｍｍ程度のものを使用するのが好ましい。また、袋体３内には、図１に示した平坦な状態で、その厚みが４ｃｍ〜６ｃｍ程度（５ｃｍ前後）維持できる量の充填材２が充填されるようになっている。
【００２１】
側縁部３ａ、３ｂに個別に設けられた長さ調整部４は、袋体３の長手方向の側縁部に沿って形成された紐挿通部５と、紐挿通部５に挿通されるとともに、紐挿通部５と略平行に所定の間隔を設けて袋体３内に挿通された紐６と、紐挿通部５及び袋体３内からそれぞれ引き出された紐６が挿通された引締具７Ａ、７Ｂとを含んで構成されている。また、袋体３の短手方向の各側縁部３ｃ、３ｄには、袋体３に挿通された紐６を引き出すための紐通し孔８ａ、８ｂが形成され、紐通し孔８ａ、８ｂには、環状部材が取り付けられている。
【００２２】
紐挿通部５は、袋体３の長手方向の各側縁部３ａ、３ｂの生地を筒状に折り込んで縫着されたものであり、紐６が摺動自在に挿通可能となっている。紐６の素材は、天然繊維、合成繊維など特に限定されないが、布紐などが好ましく、太さは４ｍｍ〜６ｍｍ程度のものが好ましい。引締具７Ａ、７Ｂは、紐６を通す挿通孔が形成された略球状の本体７ａと、本体の内部に出没自在に設けられた操作部７ｂと、この操作部７ｂを本体７ａの内部から押しているバネ材（図示せず）とで構成されている。
【００２３】
図１に示した状態は、袋体３の長手方向の向い合う各側縁部３ａ、３ｂが拡がっている、すなわち、長さ調整部４による枕の厚み調整が行われていない平坦な状態を示している。図１に示した状態から枕全体の厚みを増す調整を行う場合は、袋体３の長手方向の各側縁部３ａ、３ｂに設けられた長さ調整部４をそれぞれ操作する。
すなわち、各側縁部３ａ、３ｂに設けられた長さ調整部４の引締具７Ａ、７Ｂのそれぞれ（又は引締具７Ａ、７Ｂのいずれか一方）を手で押さえた状態で紐６を引っ張る（袋体３から引き出す）と、図２（ａ）に示したように、袋体３の長手方向の各側縁部３ａ、３ｂがそれぞれ窄められ、各引締具７Ａ、７Ｂの操作部７ｂから手を離して、紐６の移動を止めると、両側縁部３ａ、３ｂの長さがともに縮んだ（短い）状態に保持され、袋体３内の充填材２が中央に寄り集まることで袋体３の上部と下部が膨らむ結果、枕全体の高さ（厚み）が調整されるようになっている。
【００２４】
一方、枕１は、枕全体の高さのみだけでなく、傾斜具合も調整できるように構成されている点に特徴がある。図１に示した厚みの少ない状態から枕１に傾きを付ける調整を行う場合は、袋体３の長手方向の一方の側縁部３ｂの長さ調整部４のみを操作する。
すなわち、一方の側縁部３ｂの長さ調整部４の引締具７Ａ、７Ｂそれぞれ（又は引締具７Ａ、７Ｂのいずれか一方）を手で押さえた状態で紐６を引っ張る（袋体３から引き出す）と、図２（ｂ）に示したように、袋体３の長手方向の一方の側縁部３ｂのみが窄められて、引締具７Ａ、７Ｂの操作部７ｂから手を離して、紐６の移動を止めると、一方の側縁部３ｂのみが縮んだ（短い）状態に保持され、一方の側縁部３ｂ側の袋体３の厚みを増すことができ、一方の側縁部３ｂ側から他方の側縁部３ａ側に下る傾斜を付けることが可能となる。なお、充填材２として、発泡樹脂ビーズを使用すれば、傾斜を付けやすく、使用時の形状安定性をより高めることが可能である。
【００２５】
上記実施の形態（１）に係る枕１によれば、袋体３の長手方向の向い合う各側縁部３ａ、３ｂにそれぞれ設けられた紐挿通部５、紐６、及び引締具７Ａ、７Ｂを含んで構成される長さ調整部４によって、袋体３の長手方向の向い合う各側縁部３ａ、３ｂの長さ（すなわち、窄め具合、縮み具合）を個別に調整することが可能となる。
したがって、使用者の好みや用途に合わせて、高さだけでなく傾斜（傾き）具合も適宜調整することができ、また、長さ調整部４が袋体３の長手方向の各側縁部３ａ、３ｂに設けられ、引締具７Ａ、７Ｂが袋体３の短手方向の側縁部３ｃ、３ｄ側に位置するので、使用者が横臥したままでも、すなわち、枕に頭を載せたままでも容易に高さや傾きの調整を行うことができ、使用感や使い勝手に優れた枕とすることができる。
【００２６】
図３は、実施の形態（２）に係る枕を示した一部切欠斜視図である。図４（ａ）は、実施の形態（２）に係る枕の全体の厚みを増した状態を示した斜視図、（ｂ）は、枕に傾斜を付けた状態を示した斜視図である。なお、実施の形態（１）に係る枕１と同一機能を有する構成部品には同一符号を付し、その説明を省略することとする。
実施の形態（２）に係る枕１Ａは、充填材２が充填される袋体３Ａからなり、平面視略長方形形状をした袋体３Ａの周縁部に、袋体３Ａの長手方向の各側縁部３ａ、３ｂの長さを個別に調整可能な長さ調整部４Ａが設けられている。
【００２７】
長さ調整部４Ａは、袋体３Ａの長手方向の向い合う側縁部３ａ、３ｂに沿って形成された紐挿通部５ａ、５ｂと、袋体３Ａの短手方向の向い合う各側縁部３ｃ、３ｄに形成された輪状の紐通し片９ａ〜９ｄと、紐挿通部５ａと紐通し片９ａ、９ｃとに挿通された紐６ａと、紐挿通部５ｂと紐通し片９ｂ、９ｄとに挿通された紐６ｂとを備えている。また、袋体３Ａの短手方向の側縁部３ｃ側には、紐挿通部５ａから引き出されて、紐通し片９ａに挿通された紐６ａの端部と、紐挿通部５ｂから引き出されて、紐通し片９ｂに挿通された紐６ｂの端部とが挿通された引締具７Ｃが配設されており、他方の側縁部３ｄ側には、紐挿通部５ａから引き出されて、紐通し片９ｃに挿通された紐６ａの端部と、紐挿通部５ｂから引き出されて、紐通し片９ｄに挿通された紐６ｂの端部とが挿通された引締具７Ｄが配設されている。
【００２８】
紐挿通部５ａ、５ｂは、袋体３Ａの長手方向の各側縁部３ａ、３ｂの生地を筒状に折り込んで縫着されたものであり、紐６ａ、６ｂが摺動自在に挿通可能となっている。輪状の紐通し片９ａ〜９ｄは、袋体３Ａの短手方向の向い合う側縁部３ｃ、３ｄの２箇所に所定間隔を設けて形成されているが、各側縁部３ｃ、３ｄの１箇所以上に形成しておけばよい。また、紐６ａ、６ｂの素材は、天然繊維、合成繊維など特に限定されないが、布紐などが好ましく、太さは４ｍｍ〜６ｍｍ程度のものが好ましい。引締具７Ｃ、７Ｄは、紐６ａを通す挿通孔と、紐６ｂを通す挿通孔とが別々に形成された略球状の本体７ａと、本体７ａの内部に出没自在に設けられた操作部７ｂと、この操作部７ｂを本体７ａの内部から押しているバネ材（図示せず）とを含んで構成されており、紐６ａ、６ｂを個別に引締め可能となっている。
【００２９】
また、袋体３Ａ内には、充填材２が充填された複数の小袋１３が収容されており、小袋１３を出し入れするための開閉部（例えば、線ファスナー）１４が形成されている。小袋１３の形状、袋体３Ａに詰める数等は、特に限定されないが、縦幅が５ｃｍ〜１０ｃｍ程度、横幅が袋体３Ａの長手方向の幅と同程度に形成された横長形状をした小袋１３を複数（３〜６袋程度）詰める形態としたり、又は横幅が１０ｃｍ〜１５ｃｍ程度、縦幅が袋体３Ａの短手方向の幅と同程度に形成された縦長形状をした小袋を複数（３〜６袋程度）詰める形態とすることが好ましい。また、袋体３Ａ内には、図３に示した平坦な状態で、その厚みが４ｃｍ〜５ｃｍ程度維持できる量の充填材２が充填されるようになっている。また、袋体３Ａの中央付近に配置されることになる小袋１３には、充填材２の移動を規制する複数の仕切りが設けられたものを使用することが好ましく、係る構成により、頭を載せた場合の充填物２の移動を効果的に抑制することができ、袋体３Ａの厚みを一定に保つことが可能となる。
【００３０】
図３に示した状態は、袋体３Ａの長手方向の向い合う各側縁部３ａ、３ｂが拡がっている、すなわち、長さ調整部４Ａによる枕の厚み調整が行われていない状態である。図３に示した状態から枕全体の厚みを増す調整を行う場合は、長さ調整部４Ａを操作する。
すなわち、各引締具７Ｃ、７Ｄのそれぞれ（又は引締具７Ｃ、７Ｄのいずれか一方）を手で押さえた状態で紐６ａ、６ｂをともに引っ張る（袋体３Ａから引き出す）と、図４（ａ）に示したように、袋体３Ａの周縁部が窄められ、引締具７Ｃ、７Ｄの操作部７ｂから手を離して、紐６ａ、６ｂの移動を止めると、袋体３Ａの周縁部の長さが縮んだ（短い）状態に保持され、袋体３Ａ内の充填材２が中央に寄り集まることで袋体３Ａの上部と下部が膨らむ結果、枕全体の高さ（厚み）が増すようになっている。
【００３１】
一方、枕１Ａは、枕全体の高さのみだけでなく、傾斜具合も調整できるように構成されている。図３に示した厚みの少ない状態から枕１Ａに傾きを付ける調整を行う場合は、紐６ａ、又は紐６ｂのいずれか一方のみを操作する。
すなわち、各引締具７Ｃ、７Ｄのそれぞれ（又は引締具７Ｃ、７Ｄのいずれか一方）を手で押さえた状態で紐６ａのみを引っ張る（袋体３Ａから引き出す）と、図４（ｂ）に示したように、袋体３Ａの長手方向の一方の側縁部３ｂのみが窄められ、引締具７Ｃ、７Ｄの操作部７ｂから手を離して、紐６ａの移動を止めると、一方の側縁部３ｂのみが縮んだ（短い）状態に保持され、一方の側縁部３ｂ側の袋体３Ａの厚みを増すことができ、一方の側縁部３ｂ側から他方の側縁部３ａ側に下る傾斜を付けることが可能となる。
【００３２】
上記実施の形態（２）に係る枕１Ａによれば、袋体３Ａの周縁部に設けられた、紐挿通部５ａ、５ｂ、紐６ａ、６ｂ、及び引締具７Ｃ、７Ｄを含んで構成される長さ調整部４Ａによって、袋体３Ａの長手方向の向い合う各側縁部３ａ、３ｂの長さ（すなわち、窄め具合、縮み具合）を個別に調整することが可能となる。したがって、上記実施の形態（１）に係る枕１と同様の効果を得ることができる。
また、充填材２が複数の小袋１３に分けて袋体３Ａに収容されているので、小袋１３により充填材２の移動や変形を規制することができ、枕１Ａの形状を保ちやすい構造にすることができる。また、袋体３Ａに、小袋１３を出し入れするための開閉部１４が形成されているので、使用者の好みに応じて、小袋１３を追加したり、減らしたりすることができ、使用者の好みや用途に合わせて、充填材２の充填量を調整することができる。
【００３３】
なお、上記実施の形態（１）では、袋体３内に充填材２が直接充填されている場合について説明したが、実施の形態（２）に係る枕１Ａと同様に、充填材２が充填された複数の小袋１３を袋体３に収容する構成とすることができる。
また、上記実施の形態（１）、（２）では、袋体３、３Ａの形状が平面視略長方形形状をしたものについて説明したが、袋体の形状は、上記形態に限定されるものではなく、例えば、図５に示したように、枕１Ｂの袋体３Ｂを平面視略Ｕ字形状とすれば、後頭部から首回りを囲むような形状となり、使用感を高めることができる。
【符号の説明】
【００３４】
１、１Ａ、１Ｂ  枕
２  充填材
３、３Ａ、３Ｂ  袋体
４、４Ａ  長さ調整部
５、５ａ、５ｂ  紐挿通部
６、６ａ、６ｂ  紐
７Ａ、７Ｂ、７Ｃ、７Ｄ  引締具
【図１】
0003162306.tif 000003
【図２】
0003162306.tif 000004
【図３】
0003162306.tif 000005
【図４】
0003162306.tif 000006
【図５】
0003162306.tif 000007